(57)【特許請求の範囲】
【請求項１】
センター網制御装置に電話網を介して接続された端末網制御装置と、前記端末網制御装置に有線接続された無線親機である親機と、前記親機と無線接続される無線子機である子機と、前記子機に有線接続されたメータとによって構成され、前記親機と前記子機が、前記親機と前記子機の設置時に縁組によって前記親機と前記子機の相互の無線通信を許可する無線テレメータシステムにおいて、
前記親機と前記子機とが縁組をする際、前記子機は当該子機における入力により前記親機の識別情報が入力された縁組準備要求電文を前記親機宛てに無線送信し、前記親機は、前記縁組準備要求電文を受信したとき、前記子機と縁組をするための準備及び待機状態である待機モードとなることを特徴とする無線テレメータシステム。
【請求項２】
前記親機が前記待機モードにあるときに、前記子機は当該子機の識別情報が入力された縁組要求電文を前記親機宛てに無線送信し、所定の時間内に前記親機が前記縁組要求電文を受信した場合に、前記縁組が行われることを特徴とする請求項１の記載の無線テレメータシステム。
【請求項３】
前記親機と前記子機との縁組が行われた後、前記親機は、自動的に、別の子機との縁組が可能な前記待機モードに移行することを特徴とする請求項１又は２に記載の無線テレメータシステム。
【請求項４】
前記親機が前記待機モードにあるときに、前記子機から再び前記縁組準備要求電文を受信した場合、前記待機モードを時間延長することを特徴とする請求項１〜３のいずれか１項に記載の無線テレメータシステム。
【請求項５】
親機と、中継機と、前記中継機によって中継されて前記親機と無線接続される子機と、によって構成される無線テレメータシステムにおいて、
前記親機と前記中継機とが縁組をする際、前記中継機は、当該中継機における入力により、前記親機の識別情報が入力された縁組準備要求電文を前記親機宛てに無線送信し、前記親機は、前記縁組準備要求電文を受信したとき、前記中継機と縁組をするための準備及び待機状態である待機モードとなり、更に前記中継機は、当該中継機における入力により、当該中継機の識別情報が入力された縁組要求電文を前記親機宛てに無線送信し、前記親機が所定の時間内に前記縁組要求電文を受信することによって前記縁組が行われ、
前記中継機と前記子機とが縁組をする際、前記子機は、当該子機における入力により、前記中継機の識別情報が入力された縁組準備要求電文を前記中継機宛てに無線送信し、前記中継機が前記縁組準備要求電文を受信したとき、前記子機と縁組をするための準備及び待機状態である待機モードとなり、前記子機における入力により、前記子機の識別情報が入力された縁組要求電文を前記中継機宛てに無線送信し、前記中継機が所定の時間内に前記縁組要求電文を受信することによって前記縁組が行われ、
更に、前記中継機が、前記子機と縁組した際の前記子機の縁組子機情報を前記親機宛に子機縁組設定電文により送信し、前記子機縁組設定電文を受信した前記親機が前記縁組子機情報を登録することにより、前記親機と前記子機が前記中継機を中継した相互の無線通信を許可する機能を有することを特徴とする無線テレメータシステム。
【請求項６】
前記親機と既に縁組がされている前記子機が、別の子機と縁組をする場合に、縁組がされた前記子機が自動的に中継機として前記親機と切り替わることを特徴とする請求項５に記載の無線テレメータシステム。
【発明の詳細な説明】
【技術分野】
【０００１】
本発明は、無線テレメータシステムに関する。
【背景技術】
【０００２】
従来、ガス、水道等のメータ用に開発された無線テレメータシステムにおいて、親機と複数の子機が無線通信できるように、設置前に必ず、親機と子機の識別情報の情報交換作業、即ち、例えばＩＤ等の情報を交換し登録する「縁組」動作が必要とされる。
【０００３】
従来の縁組方法としては、親機と子機の一方又は両方にＩＤ等の初期データを設定専用機である設定器によって設定する、あるいは、親機と子機に設けられたＤＩＰＳＷ（ディップスイッチ）によって設定した後、互いに有線接続してデータの交換を行う方法や、親機と子機の両者に設けられた外部入力装置をほぼ同時に操作して、無線通信にて情報交換を行うことで登録する方法がある（例えば、特許文献１を参照）。
【特許文献１】特開平６−８５９３８号公報
【発明の開示】
【発明が解決しようとする課題】
【０００４】
しかし、特許文献１に記載の技術では、親機又は子機と設定器を有線接続して情報交換を行う場合には、機器間を配線する手間と時間が必要である。また、親機と子機とに設けられた外部入力装置をほぼ同時に操作し、無線通信にて情報交換を行って登録する必要があるため、複数の作業者を必要としていた。このため、無線テレメータシステムの設置作業の作業性と信頼性を低下させていた。
【０００５】
本発明の目的は、無線テレメータシステムの設置作業の作業性と信頼性を向上させることができる無線テレメータシステムを提供することである。
【課題を解決するための手段】
【０００６】
上記目的を達成するために、本発明による無線テレメータシステムは、センター網制御装置に電話網を介して接続された端末網制御装置と、前記端末網制御装置に有線接続された無線親機である親機と、前記親機と無線接続される無線子機である子機と、前記子機に有線接続されたメータとによって構成され、前記親機と前記子機が、前記親機と前記子機の設置時に縁組によって前記親機と前記子機の相互の無線通信を許可する無線テレメータシステムにおいて、前記親機と前記子機とが縁組をする際、前記子機は当該子機における入力により前記親機の識別情報が入力された縁組準備要求電文を前記親機宛てに無線送信し、前記親機は、前記縁組準備要求電文を受信したとき、前記子機と縁組をするための準備及び待機状態である待機モードとなることを特徴としている。
【０００７】
この無線テレメータシステムによれば、親機と子機とが縁組をする際には、子機は当該子機における入力により親機の識別情報が入力された縁組準備要求電文を作成して無線接続される親機宛てに無線送信し、親機は、縁組準備要求電文を受信したとき、子機と縁組をするための準備及び待機状態である待機モードとなる。即ち、親機の設置状況に関わらず、子機からの入力で、親機の状態を設定することができる。
【０００８】
本発明の無線テレメータシステムの好ましい実施形態では、前記親機が前記待機モードにあるときに、前記子機は当該子機の識別情報が入力された縁組要求電文を前記親機宛てに無線送信し、所定の時間内に前記親機が前記縁組要求電文を受信した場合に、前記縁組が行われることを特徴とする。
【０００９】
本発明による無線テレメータシステムの好ましい実施形態では、前記親機と前記子機との縁組が行われた後、前記親機は、自動的に、別の子機との縁組が可能な前記待機モードに移行することを特徴とする。
【００１０】
本発明による無線テレメータシステムの好ましい実施形態では、前記親機が前記待機モードにあるときに、前記子機から再び前記縁組準備要求電文を受信した場合、前記待機モードを時間延長する。親機が子機から再び無線の縁組準備要求電文を受信した場合、待機状態となっている所定の時間が延長され、引き続き待機モードとなる。
【００１１】
また、上記目的を達成するために、本発明による無線テレメータシステムは、親機と、中継機と、前記中継機によって中継されて前記親機と無線接続される子機と、によって構成される無線テレメータシステムにおいて、前記親機と前記中継機とが縁組をする際、前記中継機は、当該中継機における入力により、前記親機の識別情報が入力された縁組準備要求電文を前記親機宛てに無線送信し、前記親機は、前記縁組準備要求電文を受信したとき、前記中継機と縁組をするための準備及び待機状態である待機モードとなり、更に前記中継機は、当該中継機における入力により、当該中継機の識別情報が入力された縁組要求電文を前記親機宛てに無線送信し、前記親機が所定の時間内に前記縁組要求電文を受信することによって前記縁組が行われ、前記中継機と前記子機とが縁組をする際、前記子機は、当該子機における入力により、前記中継機の識別情報が入力された縁組準備要求電文を前記中継機宛てに無線送信し、前記中継機が前記縁組準備要求電文を受信したとき、前記子機と縁組をするための準備及び待機状態である待機モードとなり、前記子機における入力により、前記子機の識別情報が入力された縁組要求電文を前記中継機宛てに無線送信し、前記中継機が所定の時間内に前記縁組要求電文を受信することによって前記縁組が行われ、更に、前記中継機が、前記子機と縁組した際の前記子機の縁組子機情報を前記親機宛に子機縁組設定電文により送信し、前記子機縁組設定電文を受信した前記親機が前記縁組子機情報を登録することにより、前記親機と前記子機が前記中継機を中継した相互の無線通信を許可する機能を有することを特徴とする。
【００１２】
この無線テレメータシステムによれば、親機と中継機が縁組みする際には、中継機において入力をすることにより、親機の識別情報が入力された縁組準備要求電文が作成され、縁組準備要求電文が親機宛てに無線送信される。親機が縁組準備要求電文を受信したときには、親機は中継機と縁組をするための準備及び待機状態である待機モードとなる。中継機における入力により、中継機の識別情報が入力された縁組要求電文が作成されて親機宛てに無線送信され、親機が所定の時間内に縁組要求電文を受信することによって縁組が行われる。また、中継機と子機が縁組みする際には、子機における入力によって中継機の識別情報が入力された縁組準備要求電文が作成され、その縁組準備要求電文が中継機宛てに無線送信される。中継機が縁組準備要求電文を受信したとき子機と縁組をするための準備及び待機状態である待機モードとなり、子機における入力により、子機の識別情報が入力された縁組要求電文が作成されて中継機宛てに無線送信される。中継機が所定の時間内に当該縁組要求電文を受信することによって縁組が行われる。更に、中継機が、子機と縁組した際の子機の縁組子機情報を親機宛に子機縁組設定電文により送信し、子機縁組設定電文を受信した親機が縁組子機情報を登録する。これにより、親機と子機が中継機を中継した相互の無線通信が可能となる。
【００１３】
本発明による無線テレメータシステムの好ましい実施形態では、親機と既に縁組がされている子機が、別の子機と縁組をする場合に、縁組がされた子機が自動的に中継機として親機と切り替わることを特徴とする。
【発明の効果】
【００１４】
本発明は、子機からの入力で、中継機又は親機の状態を設定することができ、また中継機における入力で親機の状態を設定することができるので、親機の設置状況に関わらず、子機と親機の間の縁組、又は中継機を介した子機と親機の間の縁組が可能となり、無線テレメータシステムの設置作業の作業性と信頼性を向上させることができる。
【発明を実施するための最良の形態】
【００１５】
以下、本発明の実施形態を、図面を用いて詳細に説明する。
【００１６】
（実施形態１）
図１は、本発明による特定小電力型の無線テレメータシステムの実施形態１について示すブロック図である。図１では、無線テレメータシステムは、ホストコンピュータ（以下、ホストと称す）１１と、ホスト１１に接続されたセンター網制御装置（以下、センターＮＣＵと称す）１２と、センターＮＣＵ１２に電話回線１３を介して接続された端末網制御装置（以下、端末ＮＣＵと略す）１４と、端末ＮＣＵ１４に有線接続された無線親機（以下、親機と称す）１５と、親機１５と無線接続される複数の無線子機（以下、子機と称す）１６と、各子機１６に有線接続されたメータ１７と、によって構成されている。これらのメータ１７は、例えばガス、水道、電気等のメータ、特にマイクロコンピュータを搭載したいわゆるマイコンメータである。
【００１７】
図２（Ａ）は親機１５の構成例を示すブロック図であり、図２（Ｂ）は子機１６の構成例とこの子機１６が担う中継機の構成例を示すブロック図である。図２（Ａ）に示すように、親機１５は、端末ＮＣＵＩ／Ｆ（インターフェース）２１、不揮発メモリ２２、ＣＰＵ（中央処理装置）２３、アンテナ２４、無線通信ユニット２５、ＲＯＭ（リードオンリメモリ）２６、ＲＡＭ（ランダムアクセスメモリ）２７及び電池２８を有している。
【００１８】
これに対して、図２（Ｂ）に示すように、子機１６と子機１６がある場合に担う中継機は同じ構成を有しており、メータＩ／Ｆ（インターフェース）２９、不揮発メモリ２２、ＣＰＵ（中央処理装置）２３、アンテナ２４、無線通信ユニット２５、ＲＯＭ（リードオンリメモリ）２６、ＲＡＭ（ランダムアクセスメモリ）２７、電池２８、外部入力装置（１）３０及び外部入力装置（２）３１を有している。親機１５と子機１６及び中継機は、それぞれ各種設定データを登録するための不揮発性メモリ２２が内蔵されている。
【００１９】
次に、親機１５と子機１６とに縁組をさせる場合について、図３〜図８に基づいて説明する。図３は、縁組準備のシーケンス図である。親機１５と子機１６が縁組をする際には、子機１６の外部入力手段である外部入力装置（１）３０における入力により、親機１５の識別情報の一部分の情報が入力された無線の縁組準備要求電文を、親機１５宛てに無線送信し、親機１５が当該縁組準備要求電文を受信したとき、子機１６と縁組をするための準備及び待機の状態である待機モードとなる。
【００２０】
親機１５のＩＤを、例えば“５０００００００００００００”として、子機１６のＩＤを、例えば“５０００００００００００１２”として、親機１５と子機１６が縁組をする場合を図３〜図８を参照して説明する。ここでは、情報量を減らすため、縁組される親機及び子機はともにＩＤの上位１２桁は同じであるとし、ＩＤの下位２桁（縁組短縮ＩＤ）で認識可能とする。この場合、ＤＩＰＳＷは８個で済ますことができる。
【００２１】
子機１６により縁組対象の親機１５と縁組をするためには、識別するための番号、即ち、親機１５のＩＤ番号の下位２桁“００”と同じになるように、図２（Ｂ）の子機１６の外部入力手段の一例である外部入力装置３０のＤＩＰＳＷなどにより、子機１６においてＩＤ“００”を設定する（図３（ａ））。ただし、親機１５は設定器やセンターＮＣＵ１２からの通信により、ＩＤ設定などの初期設定、即ち親機１５の上記ＩＤ番号の設定が既に済んでいるものとする。
【００２２】
次に、図２（Ｂ）の子機１６の外部入力装置（２）３１のボタンなどの押し下げ入力により（図３（ｂ））、子機１６は親機１５に対して縁組準備要求電文（図３（ｃ））を送信する。親機１５は、この縁組準備要求電文を受信すると、縁組準備応答電文（図３（ｄ））を子機１６に対して返信する。そして、親機１５は、子機１６と縁組するための準備及び待機の状態である縁組待機状態（縁組待機モード）へと移行する（図３（ｅ））。
【００２３】
図４は、図３（ｃ）の縁組準備要求電文のフォーマットの例を示しており、図５は、図３（ｄ）の縁組準備応答電文のフォーマットの例を示している。図４に示す縁組準備要求電文のフォーマットの例では、無線用ヘッダー部にはビット同期、フレーム同期と、送信元、即ち、子機の識別符号で構成され、さらに縁組対象となる親機ＩＤの下位２桁を示す縁組短縮ＩＤ部と、送信先識別符号部と、縁組要求電文であることを示すコマンド部とで構成される。この送信先識別符号は、不特定先を示す”００００００００００００“で表されている。このため、どの親機１５でも、子機１６から図３（ｃ）の縁組準備要求電文を受信することができるが、縁組準備要求電文内に含まれる縁組短縮ＩＤを判別することにより、対象となる親機１５が識別される。なお、ここで、「識別符号」は、縁組時に情報交換されるものですべての無線端末においてユニークな値であって、同じ値を持つ端末は存在しない。識別符号は、ユーザにも隠されており、無線間での相互認証に用いられる符号である。
【００２４】
実施形態１では、対象となる親機１５を識別するための符号としてＩＤ番号を利用したが、識別のための別の符号としては例えば製造番号などでも構わない。
【００２５】
図５に示す縁組準備応答電文のフォーマットの例では、無線用ヘッダー部と、送信先（子機）識別符号部と、縁組準備応答電文であることを示すコマンド部とで構成される。
【００２６】
以上のように、図３（ａ）で、子機１６において親機ＩＤ“００”を設定することから図３（ｅ）に示す縁組待機状態までの作業により、親機１５は、任意の子機１６からの縁組依頼を受け付けることができるようになる。
【００２７】
次に、図６は、図３（ｅ）に示す縁組待機状態から続く親機１５と子機１６の縁組のシーケンス図である。子機１６は、図３（ｅ）の縁組待機状態となっている親機１５と実際に縁組するためには、子機１６自身のＩＤ番号を登録することが必要である。子機１６のＩＤは１４桁あるが、上記の通り上位１２桁は共通であるので、図２（Ｂ）の外部入力装置３０のＤＩＰＳＷなどを用いて、１４桁のうちの下位２桁を、縁組短縮ＩＤ“１２”として設定する（図６（ａ））。子機１６において設定した下位２桁の縁組短縮ＩＤ“１２”は、図２（Ａ）の子機１６の不揮発性メモリ２２に記憶される。そして、子機１６は、外部入力装置３１のボタンなどの入力（図６（ｂ））により、縁組要求電文を親機１５に対して送信する（図６（ｃ））。
【００２８】
子機１６から縁組要求電文を受信した親機１５は、縁組要求を受け付けて、縁組要求電文に含まれる子機識別符号とＩＤ番号を親機１５の不揮発性メモリ２２（図２（Ｂ）参照）に縁組登録する（図６（ｄ））。次に、親機１５は、縁組応答電文を子機１６に対して返信する（図６（ｅ））。子機１６は、この縁組応答電文を受信して、縁組応答電文に含まれる親機識別符号とＩＤ番号を子機１６の不揮発性メモリ２２に登録する（図６（ｆ））。図６（ａ）のＩＤ“１２”とする設定から図６（ｆ）に示す登録までの一連の作業により、親機１５と子機１６の縁組登録が完了する。
【００２９】
図７は図６（ｃ）で送信される無線の縁組要求電文のファーマット図であり、図８は図６（ｅ）で返信される無線の縁組応答電文のファーマット図である。図６（ｆ）において、親機１５と第一の子機１６との縁組登録が完了した後に、親機１５は、図３（ｅ）の縁組待機状態から、再び縁組待機状態へと移行する（図６（ｇ））。そして、図６（ａ）から図６（ｆ）の手順に従って、親機１５は続けて次の第二の子機１６を縁組登録することができる。
【００３０】
親機１５の縁組待機時間は、予め、例えば５分間として設定されており、この５分間に新たに子機１６と縁組登録されれば、図６（ｇ）の縁組待機状態へ移行した時点から延長されて、再度５分間の縁組待機時間となる。子機１６の設置作業現場の事情により、この５分間以内に次の子機１６の縁組登録ができなかった場合は、図３（ａ）から図３（ｅ）の手順を再度行う必要がある。しかし、予め、夫々の子機１６の設置場所が離れている場合など、子機１６の縁組登録に時間がかかることが想定されていれば、最初の親機１５の縁組登録待機中に再度、子機１６からの縁組準備要求コマンドを受信した場合には、親機１５の図２（Ａ）に示すＣＰＵ２３は縁組準備継続手段として、縁組待機時間を５＋５＝１０分間に延長することができる。そして再度、子機１６からの縁組準備要求コマンドを受信した場合には、縁組待機時間を１０＋５＝１５分間に再度延長することができる。
【００３１】
（実施形態２）
次に、図９と図１０を参照して、本発明による無線テレメータシステムの実施形態２を説明する。図９は、親機１５、中継機（子機の役割変更による）との縁組シーケンスを示す。図１０は、親機１５、中継機及び子機１６の縁組のシーケンスを示す。図９と図１０に示す実施形態２では、無線テレメータシステムは、親機１５と、子機１６と、親機１５と子機１６の間の無線中継するための中継機とによって構成されている。
【００３２】
親機１５、中継機（子機の役割変更による）と、子機１６との相互の縁組手順について説明する。最初に、図９に示す縁組のシーケンス図に従って、親機１５と中継機とに縁組をさせる。親機１５と中継機との縁組手順は、図９（ａ）の中継機において、親機ＩＤ“００”の設定から図９（ｋ）に示す縁組登録までの作業は、図３（ａ）〜図３（ｅ）と図６（ａ）〜図６（ｇ）に示した手順とまったく同様である。即ち、図３と図６で示された子機１６を中継機に置き換えることで、親機１５と中継機との縁組が行われる。
【００３３】
図９（ａ）〜（ｋ）に基づいて、説明をする。例として、親機１５のＩＤ番号は、図９（ａ）のように、例えば“５０００００００００００００”としており、中継機のＩＤ番号は、図９（ｆ）のように、例えば“５０００００００００００１２”としている。中継機において親機ＩＤ“００”を入力し（図９（ａ））、中継機のボタンを押し下げる（図９（ｂ））。縁組準備要求電文は、入力された「親機ＩＤ“００”」を頼りに、親機１５に送られ（図９（ｃ））、親機１５は縁組準備応答電文を中継機に送る。親機１５は縁組待機状態になり（図９（ｅ））、中継機において自己のＩＤ番号であるＩＤ“１２”が入力され（図９（ｆ））、中継機のボタンが押し下げられる（図９（ｇ））。ボタンの押下げによって縁組要求電文が中継器から親機１５に送られ（図９（ｈ））、親機１５は縁組を登録する（図９（ｉ））。親機１５は縁組応答電文を中継機に送り（図９（ｊ））、縁組登録が完了する（図９（ｋ））。
【００３４】
次に、子機１６と中継機、及び親機１５と縁組する手順を図１０に従って説明する。ここで、子機１６のＩＤ番号は、図１０（ａ）に示すように、“５０００００００００００４０”とする。まず、子機１６は中継機に対して縁組登録を行うが、この縁組手順は図６（ａ）〜（ｆ）の場合と同じである（図１０（ａ）〜（ｉ））。図１０（ｈ）に示すように、子機１６から縁組要求電文を受信した中継機は縁組登録を行う（図１０（ｉ））。
【００３５】
次に、中継器は、中継機経由縁組要求電文を、先ほど縁組した親機１５宛に送信する（図１０（ｊ））。この中継機経由縁組要求電文を受信した親機１５は、縁組要求を受け付けて、中継機経由縁組要求電文に含まれる子機識別符号とＩＤ番号とを、親機１５の不揮発性メモリ２２（図２（Ａ）参照）に登録して縁組登録をする（図１０（ｋ））。そして、親機１５は、中継機縁組応答電文（図１０（ｌ））を中継器に返信する。中継機は、中継機経由縁組応答電文を受信して、縁組応答電文に変換して、子機１６宛に送信する（図１０（ｍ））。子機１６は、その縁組応答電文に含まれる中継機識別符号とＩＤ番号とを子機１６の不揮発性メモリ２２（図２（Ｂ）参照）に登録する（図１０（ｎ））。
【００３６】
図１１は図１０（ｊ）に示す中継機経由縁組要求電文のフォーマットの例を示し、図１２は図１０（ｌ）に示す中継機経由縁組応答電文のフォーマットの例を示している。図１０（ａ）〜図１０（ｎ）の一連の作業により、親機１５、中継機及び子機１６との縁組登録が完了したことになる。
【００３７】
上述したように、中継機は、親機１５との縁組時は子機１６としての機能を果たし、また子機１６との縁組時は親機１５としての機能の動作を行っている。そのため、専用の中継機の機器として用意するのではなく、ソフトウェア的に子機１６を中継機として切り替えて用いられているが、ここでその仕組みを説明する。
【００３８】
まず、親機１５と、中継機として使用する対象となる子機１６との縁組をする。この縁組方法は、通常の親機１５と子機１６の縁組手順と変わらない。次に、別の子機１６と中継機対象となる子機１６との縁組をする。このときの縁組手順は図１０の縁組手順である。中継機対象となる子機１６と別の子機１６とが縁組をする際に、子機１６からの縁組準備要求電文の送信によって、中継機対象となる子機１６と親機１５が受信することが可能であるが、図１０（ｃ）において中継機対象となる子機１６宛に送信される縁組対象のＩＤ番号を持った縁組準備要求電文を受信するので、親機１５は縁組対象でないことが判別できる。
【００３９】
したがって、図１０（ｃ）において縁組準備要求電文を受信した子機１６は、中継機として縁組されようとしていることが判別できる。よって、縁組準備要求電文を受信した子機１６は、自動的に中継機として縁組動作することが可能である。よって、元来、子機１６として動作をしていたものを中継機として動作させるようにすれば、後から親機１５との無線の電波が届きにくい場所などに新規の第二の子機１６を設置したい場合には、好ましくは無線の電波状況のよい場所に既に設置されている子機１６があれば、その子機１６を中継機として動作させることができる。
【００４０】
なお、本発明は、上記実施形態に限定されるものではなく、本発明の範囲内で上記実施形態に多くの修正および変更を加え得ることは勿論である。
【図面の簡単な説明】
【００４１】
【図１】本発明の実施形態１に係る特定小電力無線テレメータシステムを示す図である。
【図２】本発明の実施形態１に係る親機と子機と中継機のブロック図である。
【図３】本発明の実施形態１に係る縁組準備のシーケンス図である。
【図４】本発明の実施形態１に係る無線の縁組準備要求電文のフォーマット図である。
【図５】本発明の実施形態１に係る無線の縁組準備応答電文のフォーマット図である。
【図６】本発明の実施形態１に係る縁組のシーケンス図である。
【図７】本発明の実施形態１に係る無線の縁組要求電文のフォーマット図である。
【図８】本発明の実施形態１に係る無線の縁組応答電文のフォーマット図である。
【図９】本発明の実施形態２に係る縁組のシーケンス図である。
【図１０】発明の実施形態２に係る縁組のシーケンス図である。
【図１１】発明の実施形態２に係る無線の中継機経由縁組要求電文のフォーマット図である。
【図１２】本発明の実施形態２に係る無線の中継機経由縁組応答電文のフォーマット図である。
【符号の説明】
【００４２】
１１    ホスト
１２    センターＮＣＵ（センター網制御装置）
１３    電話回線
１４    端末ＮＣＵ（端末網制御装置）
１５    メイン
１６    サブ
１７    メータ
２１    端末ＮＣＵと接続のためのＩ／Ｆ
２２    不揮発性メモリ
２３    ＣＰＵ
２４    アンテナ
２５    無線通信ユニット
２６    ＲＯＭ
２７    ＲＡＭ
２８    電池
２９    メ−タと接続のためのＩ／Ｆ
３０    外部入力装置１（外部入力手段）
３１    外部入力装置２（外部入力手段）
【図１】
0004648205.tif 000002
【図２】
0004648205.tif 000003
【図３】
0004648205.tif 000004
【図４】
0004648205.tif 000005
【図５】
0004648205.tif 000006
【図６】
0004648205.tif 000007
【図７】
0004648205.tif 000008
【図８】
0004648205.tif 000009
【図９】
0004648205.tif 000010
【図１０】
0004648205.tif 000011
【図１１】
0004648205.tif 000012
【図１２】
0004648205.tif 000013